(57)【要約】【課題】記録した動画データを転送しようとする場合、ユーザが本当に必要であると考えている時間範囲に関するデータ以外の転送で時間がかかってしまい、速やかに目的の映像を転送できない。【解決手段】キーワード入力手段１０４とキーワード・重み対応辞書１０３と重み情報記録手段１０５とを備え、動画ファイル１００の記録中にキーワード入力手段１０４から入力されたキーワードをキーワード・重み対応辞書１０３内で検索し、対応する重みを動画ファイル１００上の時間と関連付けて記録する。動画ファイル１００をネットワーク転送する時には、動画ファイル１００を一定時間毎に独立した転送用動画ファイルとして分割し、それぞれの時間に関連付けられた重みの合計の大きいものから転送する。すべての転送用動画ファイルを転送し終えたら、転送したファイルを記録時間順に並べ直したプレイリストをプレイリスト生成手段１０９で生成して転送する。【選択図】図１
2009225116.tif 000002
【特許請求の範囲】
【請求項１】
映像を入力する映像入力手段と、
ユーザから入力を受け付ける入力手段と、
前記入力手段が受け付けた入力内容に対応する重み情報を保持する重み辞書と、
前記重み辞書を参照して前記入力内容から前記重み情報を決定する重み照合手段と、
前記重み情報を前記映像中の指定された位置と関連付けて記録する記録手段と、
前記映像を複数の部分映像に分割する分割手段と、
分割された前記部分映像について分割前の前記映像の再生順序を示す再生順番情報を作成する再生順番情報作成手段と、
前記部分映像の各々に関連付けられた前記重み情報に基づいて前記部分映像間の優先順位を決定し、前記優先順位の高い順に前記部分映像を送出すると共に、前記再生順番情報を送出する送出手段と、
を備えた映像記録装置。
【請求項２】
前記重み辞書は、キーワードと前記キーワードに対応する重み情報を保持し、
前記入力手段は、前記重み辞書に登録されたキーワードを前記入力内容として受け付ける請求項１記載の映像記録装置。
【請求項３】
前記分割手段は、生成する前記部分映像に付加情報として分割前の映像を特定するための情報を記録する請求項１記載の映像記録装置。
【請求項４】
前記分割手段は、生成する前記部分映像に付加情報として前記部分映像の優先順位決定の根拠となった前記入力内容を記録する請求項１記載の映像記録装置。
【請求項５】
前記記録手段は、前記入力手段が入力内容を受け付けたときに前記映像入力手段から入力された前記映像の位置と、前記入力内容に基づいた重み情報とを関連付けて記録する、請求項１記載の映像記録装置。
【発明の詳細な説明】
【技術分野】
【０００１】
本発明は、ビデオカメラ等の映像記録装置に関し、特に記録した映像をネットワーク伝送で遠隔地にある装置に転送する映像記録装置に関する。
【背景技術】
【０００２】
近年、ＷｉＭＡＸの普及に代表されるように、市街における無線ＬＡＮホットスポットが増加している。これにより、デジタルカメラで撮影した写真等のデジタルデータを無線ＬＡＮホットスポットから自宅のパソコンやサーバ、オンラインサービス等にアップロードすることが現実的になっている（例えば、特許文献１参照。）。
【０００３】
前記従来例では、デジタルカメラに携帯電話などの無線送信装置およびＧＰＳ等の位置検出装置を接続し、位置検出装置から無線送信装置での送信可能区間を検出して、送信可能な位置に達した際に、無線送信装置を制御してメモリカードに記録された撮像データを所望の宛て先に送信する。すなわち、無線ＬＡＮホットスポット圏内に前記従来例で提示されたデジタルカメラを持ち込むと、撮影したデータを自動的にインターネットにアップロードできる。
【特許文献１】特開２０００−１５６８１３号公報
【発明の開示】
【発明が解決しようとする課題】
【０００４】
前記従来例では、扱っているデータは静止画データであったが、従来例で提示された伝送システムで動画データを扱った場合には、以下に述べる課題が運用上発生する。
【０００５】
一般に、動画データは静止画データに比べて極めて巨大なデータサイズを有している。したがって、データを格納したファイルを無線転送する際、そのデータサイズにほぼ比例した、非常に長い時間を要する。
【０００６】
一方で、動画データは撮影した時間に関連付けられたフレーム画像の連続と捉えることができるが、動画データのファイル形式がＭＰＥＧ−２（ＩＳＯ／ＩＥＣ  １３８１８）であれＤＶ（ＩＥＣ  ６１８３４）であれ、一般的な動画ファイルではファイルの後方に行くほど時間的に後のデータが保存されている傾向がある。
【０００７】
以上の特徴により、転送する動画ファイルのうちユーザが転送したいと考えている部分のデータが動画ファイルの後方に位置している場合、動画ファイルの転送を始めても開始から長い時間が重要度の低いデータの転送に費やされ、ネットワークを通じて動画ファイルを受け取る側では、なかなか必要な部分にアクセスできない、すなわち、ユーザにとって重要な部分に受信側でアクセスできるまでに時間がかかるという課題が生じる。
【０００８】
例えばこの課題は、放送局のカメラレコーダが記録したニュース映像の動画ファイルを、本局に無線ネットワークを使って一刻も早く転送したいというような場合に極めて深刻な問題となる。
【０００９】
本発明はこのような課題に鑑みてなされたもので、ユーザにとって重要な映像部分を優先的に転送し、受信側で速やかにアクセス可能とする映像記録装置を提供することを目的とする。
【課題を解決するための手段】
【００１０】
上記課題を解決するために本発明の映像記録装置は、映像を入力する映像入力手段と、ユーザから入力を受け付ける入力手段と、入力手段が受け付けた入力内容に対応する重み情報を保持する重み辞書と、重み辞書を参照して入力内容から重み情報を決定する重み照合手段と、重み情報を映像中の指定された位置と関連付けて記録する記録手段と、映像を複数の部分映像に分割する分割手段と、分割された部分映像について分割前の映像の再生順序を示す再生順番情報を作成する再生順番情報作成手段と、部分映像の各々に関連付けられた重み情報に基づいて部分映像間の優先順位を決定し、優先順位の高い順に部分映像を送出すると共に、再生順番情報を送出する送出手段と、を備えた。
【発明の効果】
【００１１】
本発明の映像記録装置は上記構成を有し、動画ファイルを転送する場合においても、ユーザにとって重要な映像部分から転送が開始されるうえ、全ての転送が終わった段階では転送元の映像の全体像を転送先で再構成できることから、ユーザにとって効率のよい動画ファイルの転送が実現できる。
【発明を実施するための最良の形態】
【００１２】
図１は、本発明の実施の形態における映像記録装置の構成を示すブロック図である。
【００１３】
本発明の映像記録装置において、撮像手段１１３が出力した非圧縮動画データは動画圧縮手段１１０でＭＰＥＧ−２やＤＶといった動画形式に圧縮され、ファイルシステム解釈手段１１４を通じて記録媒体１１６に動画ファイル１００として記録される。ファイルシステム解釈手段１１４は、例えばＦＡＴファイルシステム（ＩＳＯ／ＩＥＣ  ９２９３）等を用いてファイルの記録媒体１１６上での配置を管理する。
【００１４】
同時に、本発明の映像記録装置は記録媒体１１６に重み対応記録ファイル１０１を記録するため、キーワード入力手段１０４とキーワード・重み対応辞書１０３とキーワード・重み照合手段１１２と重み情報記録手段１０５とを備える。また動画ファイル１００をワイヤレス転送手段１０８を通じて転送するために動画送信手段１０２を備え、動画送信手段１０２はファイル分割手段１０７と送信順番決定手段１０６とプレイリスト生成手段１０９とを備える。
【００１５】
本発明の映像記録装置は、例えば半導体メモリを記録媒体とするカメラレコーダである。以下の説明は、半導体メモリを記録媒体とするカメラレコーダを例として進める。
【００１６】
最初に、重み対応記録ファイル１０１の作成方法について詳説する。
【００１７】
キーワード・重み対応辞書１０３は、これから撮影する内容に映り得る人物・物体・事象を表す単語と、それぞれの単語に対してあらかじめ決めた重要度を表す数値を一対一に対応させたテーブルである。このテーブルは、撮影の前にユーザが作成して登録しておく。
【００１８】
図４は、キーワード・重み対応辞書１０３の例を示した図である。本例では、“ＰＲＥＳＩＤＥＮＴ”という単語に対して重要度“３”、“ＧＵＥＳＴ”という単語に対して重要度“２”を関連付けている。
【００１９】
キーワード入力手段１０４は、例えばユーザの声を拾うマイクロフォンや、ユーザからの文字入力や選択入力を受け付けるタッチパネルやキーボード等である。
【００２０】
ユーザは、動画データを記録しながら、現在撮影している対象についてのキーワードをリアルタイムにキーワード入力手段１０４を通じて入力する。例えば、“ＰＲＥＳＩＤＥＮＴ”の姿が撮影範囲に入れば“ＰＲＥＳＩＤＥＮＴ”と入力し、“ＧＵＥＳＴ”が現れれば“ＧＵＥＳＴ”と入力する。
【００２１】
キーワード・重み照合手段１１２は、キーワード入力手段１０４からの入力内容とキーワード・重み対応辞書１０３とを照合し、対応する重要度を重み情報記録手段１０５に通知する。通知を受けた重み情報記録手段１０５は、受け取った重み情報とその時点の時間情報との対応を、動画ファイル１００が記録されているのと同じ記録媒体１１６に、ファイルシステム解釈手段１１４を通じて動画ファイル１００と関連付けた重み対応記録ファイル１０１として書き込む。重み情報記録手段１０５は、動画ファイル１００の記録開始時に重み対応記録ファイル１０１を生成し、ユーザがキーワードを入力する都度、重み情報とその時点の時間情報との対応を書き込む。
【００２２】
図７は、動画ファイル１００と重み対応記録ファイル１０１の関連付けの方法を示した図である。なお、図において図１と同じものを示す場合は同じ符号を用いている。
【００２３】
本実施の形態では、動画ファイル１００の名前に基づいて重み対応記録ファイル１０１の名前を決定することにより、両者の関連付けを行うものとする。例えば記録動作中の動画ファイルが記録媒体１１６内でＣＯＮＴＥＮＴＳ／ＶＩＤＥＯ／０００１７Ｊ．ＭＸＦという名前のファイルであった場合、重み情報記録手段１０５は、動画ファイル１００と同じ名称に“＿ｗ”という文字を付加し、拡張子をメタ情報の記述法にあったもの、すなわち“．ｘｍｌ”に変えた重み対応記録ファイル１０１をメタ情報専用のフォルダ内に作成する。本例では、ＣＯＮＴＥＮＴＳ／ＶＩＤＥＯ／０００１７Ｊ．ｍｘｆという名称の動画ファイル１００に対応した重み対応記録ファイル１０１として、ＭＥＴＡ／０００１７Ｊ＿ｗ．ｘｍｌというファイルを作成している。上記命名法を採用することで、ファイル名の主要部が同一であることから動画ファイル１００と重み対応記録ファイルとが対応付けられていることが容易にわかるようになる。なお、動画ファイル１００と重み対応記録ファイル１０１との対応付けとしては、各ファイルに共通のＩＤ、例えば動画ファイル１００の記録時に付与されたＩＤを重み対応記録ファイル１０１に含ませておくようにしてもよい。
【００２４】
図６は、本発明の映像記録装置における重み対応記録ファイル１０１の記述内容の例を示した図である。
【００２５】
本例では、重み対応記録ファイル１０１の記述にＸＭＬ（ｅＸｔｅｎｓｉｂｌｅ  Ｍａｒｋｕｐ  Ｌａｎｇｕａｇｅ  ［ＪＩＳ  Ｘ  ４１５９：２００２］）を用いている。ここで＜Ｗｅｉｇｈｔｓ＞タグは、検出された重みと時間の対応が以下に列挙されていることを示し、＜Ｗｅｉｇｈｔ＞タグがその内容を示す。図６に示した例における最初の＜Ｗｅｉｇｈｔ＞タグの内容、すなわち、
＜Ｗｅｉｇｈｔ  ｔｉｍｅ＝“００：１１：２１”  ｗｅｉｇｈｔ＝“１”  ｗｏｒｄ＝“ＡＵＤＩＥＮＣＥ”／＞
は、この重み対応記録ファイル１０１に関連付けられた動画ファイル１００における時間００：１１：２１の時点で、ユーザから“ＡＵＤＩＥＮＣＥ”というキーワードの入力があり、キーワード・重み対応辞書１０３に記録された当キーワードの重みは“１”であったことを表している。以下、キーワード・重み照合手段１１２が検出したキーワードの数だけ＜Ｗｅｉｇｈｔ＞タグが列挙される。
【００２６】
以上の動作により、動画ファイル１００を記録するのと同時に、動画ファイル１００と関連付けられ、同時に動画ファイル１００内の時間とも対応付けられた重み対応記録ファイル１０１を記録媒体１１６上に作成することができる。
【００２７】
次に、本発明のネットワーク伝送システムを備えた映像記録装置におけるネットワークへの動画の転送方法について、図２および図３を用いて詳説する。
【００２８】
図２は、動画ファイル１００と重み対応記録ファイル１０１との関係の例を示した図である。重み対応記録ファイル１０１は、動画ファイル１００の時間ｔ0、ｔ1、ｔ2、…のそれぞれに対して、Ｗt0、Ｗt1、Ｗt2、…を関連付けている。
【００２９】
動画ファイル１００のネットワークへの送出に先立ち、まず送信順番決定手段１０６は、重み対応記録ファイル１０１をファイルシステム解釈手段１１４を経由して記録媒体１１６から読み出す。
【００３０】
図３は、重み対応記録ファイル１０１から読み出した内容を元に送信順番決定手段１０６が行う送信順番決定の動作を示した図である。
【００３１】
送信順番決定手段１０６は、動画ファイル１００を時間Δｔ毎の時間範囲に分割し、それぞれの時間範囲に対して、関連付けられた重みの合計を計算する。なお、Δｔはユーザもしくはシステムがあらかじめ定める任意の時間であり、映像データの圧縮にＭＰＥＧ−２等のＧＯＰ（Ｇｒｏｕｐ  ｏｆ  Ｐｉｃｔｕｒｅｓ）を用いた方式を用いている場合は、１ＧＯＰ分に相当する時間の整数倍とする。さらに、送信順番決定手段１０６は、その重み合計が大きい順番に時間範囲を並び替え、送信順番リスト３００を作成する。
【００３２】
送信順番決定手段１０６の動作を、図６で示した重み対応記録ファイル１０１が与えられた場合をとって具体的に説明する。
【００３３】
図１０は、動画ファイル１００、重み対応記録ファイル１０１および送信順番リスト３００の関係を示した図である。図１０（ａ）は、動画ファイル１００と重み対応記録ファイル１０１との関係を示している。仮に分割の時間単位Δｔを１０分（００：１０：００）とユーザが定めた場合、それぞれの時間範囲に関連付けられた重みの合計は図１０（ｂ）に示した値となる。例えば、０：５０：００から１：００：００の時間範囲１００１においては、関連付けられた重みが２つあり、いずれも３であるから、この時間範囲１００１における重み合計は６となる。同様に他の時間範囲についても重み合計が求められる。
【００３４】
次に送信順番決定手段１０６は、前記手順によって計算した重み合計の大きい順にソートし、送信順番リスト３００（図１０（ｃ））を作成する。図１０の例の場合、時間範囲１００１の重み合計が６と最も大きいため、時間範囲１００１が送信順番リスト３００の先頭となる。
【００３５】
なお、時間範囲１００２と時間範囲１００３のように、その時間範囲に関連付けられた重み合計が同じ（この場合共に０）場合は、隣接時間範囲を含めた平均重みが大きい順番に送信順番リスト３００の上位に挙げる。両端の隣接を含めた平均値だけで決定できない場合は、決定できるまで平均計算に含める隣接時間範囲を大きくしてゆく。例えば、時間範囲１００２と時間範囲１００３は、それぞれの時間範囲と、その直前の時間範囲と、その直後の時間範囲の３つの時間範囲に関連付けられた重みの平均値は０．３３と同一であるが、それぞれの時間範囲の２つ前と２つ後の時間範囲まで加えた５つの時間範囲に関連付けられた重みの平均値を計算すると、時間範囲１００２は０．２０、時間範囲１００３は０．４０となり、時間範囲１００３を時間範囲１００２よりも送信順番リスト３００の上位に挙げることを決定できる。
【００３６】
さて、送信順番決定手段１０６は、送信順番リスト３００を作成し終わると、送信順番リスト３００に挙げられた時間範囲を上位から順番にファイル分割手段１０７に通知する。図１０の例では、まず最高優先度区間である０：５０：００から１：００：００の時間範囲１００１が通知され、次に１：１０：００から１：２０：００の範囲、その次に０：４０：００から０：５０：００の範囲が通知される。
【００３７】
次に、ある時間範囲ｎΔｔから（ｎ＋１）Δｔ（ｎは任意の整数）の通知を送信順番決定手段１０６から通知されたファイル分割手段１０７の動作について説明する。
【００３８】
ファイルシステム分割手段１０７は、ファイルシステム解釈手段１１４を経由して前記記録媒体１１６上の動画ファイル１００にアクセスし、通知された時間範囲ｎΔｔから（ｎ＋１）Δｔの映像データを切り出して読み込む。さらにファイルシステム分割手段１０７は、前記手順で読み込んだ映像データに対して以下のふたつの処理を行う。
【００３９】
まず１つ目の処理として、必要であれば、切り出した映像データに対して、動画ファイル１００で使用されている映像圧縮方式に即したヘッダとフッタを付与する。
【００４０】
例えば動画ファイル１００がＤＶ方式（ＩＥＣ  ６１８３４）等のフレーム毎に完結したアルゴリズムを用いていた場合は、この手順を行う必要はない。対してＭＰＥＧ−２  ＴＳ（Ｔｒａｎｓｐｏｒｔ  Ｓｔｒｅａｍ：ＩＳＯ／ＩＥＣ１３８１８−１：２０００）で映像データが構成されていた場合には、この処理が必要となる。以下、この場合の例を説明する。
【００４１】
図８は、動画ファイル１００がＭＰＥＧ２−ＴＳ方式であった場合の構成と、書き換えが必要なヘッダの例を示した図である。なお、上述したように映像データの圧縮にＭＰＥＧ−２を用いているので、Δｔを１ＧＯＰ分に相当する時間の整数倍とし、時間範囲の始点ｎΔｔおよび終点（ｎ＋１）ΔｔがちょうどＧＯＰの境界と一致するようにする。ファイルシステム分割手段１０７は、動画ファイル１００から、送信順番決定手段１０６より通知された時間範囲ｎΔｔから（ｎ＋１）Δｔまでの範囲に関する映像をＥＳ（Ｅｌｅｍｅｎｔａｒｙ  Ｓｔｒｅａｍ）ファイル８００として抽出する。これは、該当する時間範囲を含むＴＳストリームからＴＳヘッダとＰＥＳヘッダを取り除き、必要な時間範囲のＥＳを切り出すことによって簡単に取得できる。ＥＳファイル８００を再び独立したＴＳのファイルとするため、ファイル分割手段１０７はＥＳファイル８００を任意のサイズで分断し、ＰＥＳヘッダを付加して複数のＰＥＳパケット８０１へと変換する。このとき、分断に用いたサイズをＰＥＳパケット長（ＰＥＳ＿Ｐａｃｋｅｔ＿Ｌｅｎｇｔｈ）としてＰＥＳヘッダに書き込む必要がある。さらに、ファイル分割手段１０７はＰＥＳパケット８０１をさらに所定のサイズで分断してＴＳヘッダを付加し、複数のＴＳパケット８０３を作成する。このＴＳパケットを連続させたデータがＴＳファイルとなる。このとき、ＴＳヘッダにはＴＳパケットの通し番号（Ｃｏｎｔｉｎｕｉｔｙ＿Ｃｏｕｎｔｅｒ）を書く必要がある。
【００４２】
したがって、ファイル分割手段１０７は、送信順番決定手段１０６から通知された時間範囲で動画ファイル１００を分割するために、切り出した時間範囲に即したＴＳヘッダとＰＥＳヘッダの値を生成し、データに付加する必要がある。
【００４３】
次に２つ目の処理として、上記データ（１つ目の処理が不要な場合は読み込んだ映像データ）に対してＭＸＦヘッダとＭＸＦフッタを付与する。ＭＸＦ（Ｍａｔｅｒｉａｌ  ｅＸｃｈａｎｇｅ  Ｆｏｒｍａｔ：ＳＭＰＴＥ  ３７７Ｍ−２００４）は、全米映画テレビジョン技術者協会（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：ＳＭＰＴＥ）で規格化されたファイルの交換フォーマットであり、圧縮形式や解像度・画角に依存せず、統一的に映像・音声・メタデータを一つのファイル中に格納できるフォーマットであるため、マルチメディア情報をファイルとして交換するのに適している。
【００４４】
図５は、ＭＸＦファイルの構造の例を示した図である。ファイルヘッダには、ＭＸＦで規定されたメタデータ（ヘッダメタデータ）、インデックス用のテーブルが多重される。ファイルボディには、前述の１つ目の処理で取得したデータをそのまま格納する。また、ファイルフッタには、ファイルヘッダと同じインデックス用のテーブルが多重される。
【００４５】
ＭＸＦファイルのヘッダメタデータ領域はユーザ側で独自に拡張できるように規定されているため、本実施の形態では、分割する前の動画ファイル１００が持つＵＭＩＤ（Ｕｎｉｑｕｅ  Ｍａｔｅｒｉａｌ  Ｉｄｅｎｔｉｆｉｅｒ：ＳＭＰＴＥ  ３３０Ｍ）および送信順番決定手段１０６が重み合算に用いたキーワードのリストをメタ情報として前記ＭＸＦファイルのメタデータとして付加する。例えば、時間範囲１００１に対応して分割された映像データについては、元の動画ファイル１００と同じＵＭＩＤ、キーワード“ＰＲＥＳＩＤＥＮＴ”および“ＳＰＥＥＣＨ”をメタデータとして付加する。
【００４６】
ファイル分割手段１０７は、送信順番決定手段１０６から通知された時間範囲ｎΔｔから（ｎ＋１）Δｔで動画ファイル１００を分割し、さらに上記ふたつの処理を経て得られたデータを転送用動画ファイルとしてワイヤレス転送手段１０８に転送する。ワイヤレス転送手段１０８は受け取った転送用動画ファイルをネットワーク上にアップロードする。本実施の形態では、このときのファイル名は、動画ファイル１００のファイル名の最後に転送順の通し番号を付加したものとしている。例えば、図１０の例では動画ファイル１００のファイル名は０００１７Ｊ．ｍｘｆとしているので、転送するファイル名は、図１０（ｃ）に示すように順に０００１７Ｊ−１．ｍｘｆ、０００１７Ｊ−２．ｍｘｆ、…となる。
【００４７】
前記ふたつの処理を切り出した映像データの各々に対して行うことにより、転送する転送用動画ファイルは単独で再生可能な動画ファイルとなるので、アップロードされた転送用動画ファイルを受け取る側では、受け取ったファイルを単独で視聴可能である。また、重み対応記録ファイル１０１を基にして各時間範囲の転送順番を決定しているため、受け取り側は重要度の高い映像から順に入手次第視聴することが可能となる。さらに、独自に拡張したメタデータの解釈に対応しているアプリケーションを用いれば、受け取った転送用動画ファイルのメタデータを読み出すことで、重み付けの根拠となったキーワードを取得したり、転送元の動画ファイル１００のＵＭＩＤを取得したりすることができる。
【００４８】
以上に説明したファイル分割手段１０７の動作を、送信順番決定手段１０６が通知してくるすべての時間範囲について順番に繰り返すことにより、実質的に動画ファイル１００に含まれる映像全体を重要度の高いシーンから転送することができる。
【００４９】
さらに、送信順番決定手段１０６は、動画ファイル１００のすべての時間範囲をファイル分割手段１０７に通知し終わった時点で、プレイリスト生成手段１０９に動画ファイル１００の全時間範囲の転送順番を通知する。通知された内容を元に、プレイリスト生成手段１０９は、分割された映像を収録時間順へと並べ直して再生するための再生順番情報としてのプレイリストを作成する。
【００５０】
図９は、図１０で示した送信順番リスト３００に基づいてプレイリスト生成手段１０９が生成するプレイリストファイルの例を示した図である。
【００５１】
送信順番決定手段１０６は、図１０（ｃ）に示した送信順番リスト３００をプレイリスト生成手段１０９に通知する。通知されるデータの中には必ず、ファイル分割手段１０７を用いて分割した各時間範囲分の開始時間と、それらを転送した順番の対応が含まれている。
【００５２】
プレイリスト生成手段１０７は、この一覧データをもとに転送用動画ファイルを各時間範囲の開始時間順に並べ直して再生順番情報とし、図９に示すようなプレイリストファイルを作成する。本実施の形態では、プレイリストの記述形式としてＳＭＩＬ  １．０（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ  １．０：Ｗ３Ｃ  Ｒｅｃｏｍｍｅｎｄａｔｉｏｎ）を採用している。ＳＭＩＬはＸＭＬをもとにした映像処理用言語である。
【００５３】
ＳＭＩＬにおける＜ＳＥＱ＞タグは、そのタグ内に列挙された要素が時間的に連続して順次再生されることを表している。すなわち、図９の例では、まず０００１７Ｊ−８．ｍｘｆが再生され、それに続いて０００１７Ｊ−５．ｍｘｆが、その次に０００１７Ｊ−７．ｍｘｆといった順番で再生されるべきことを示している。図１０（ｃ）と見比べればわかるとおり、これは、プレイリスト生成手段１０９から通知された時間範囲を、本来撮影された順番に並び替えて再生することを表している。
【００５４】
プレイリスト生成手段１０９は、この手順によって作成したプレイリストファイルをワイヤレス転送手段１０８に転送する。ワイヤレス転送手段１０８は、転送されたプレイリストファイルをネットワーク上に送出する。ネットワークを介してプレイリストファイルを受け取った側では、重み合計による優先順に転送されてきた複数の転送用動画ファイルとプレイリストファイルとをセットで扱うことで、最終的には送信元カメラレコーダの記録媒体１１６内に記録された動画ファイル１００と完全に等価の映像を受け取ることが可能となる。
【００５５】
以上説明したように、本発明の映像記録装置により、撮影した映像を重要度の高い部分から速やかにネットワークに転送できると同時に、最終的には転送先で転送元と完全に等価な映像を復元できるようになる。
【００５６】
なお、本実施の形態ではキーワード入力手段１０４を用いたキーワードの入力を撮影と同時に行うと説明したが、これは、一旦記録媒体１１６に記録した動画ファイル１００を再生して、再生される映像を確認しながら入力するようにしてもよい。
【００５７】
また、本実施の形態ではキーワード入力手段１０４を用いてユーザがキーワードを入力すると説明したが、キーワード入力手段１０４からキーワードを入力する手法はこれに限らない。すなわち、撮影中に周囲で聞こえている音声をマイク等の音声入力手段が拾い、この音声入力に対して音声認識を行うことによりキーワードを抽出してもよいし、撮影している映像から画像認識技術を用いてキーワードを抽出してもよい。
【００５８】
いずれにしても、キーワード入力は動画ファイル１００を転送するまでになされていればよい。
【００５９】
また、本実施の形態ではキーワード・重み対応辞書１０３として自然言語の単語をキーワードとして含んだもののみを挙げたが、このキーワードはユーザのアクションそのものであっても構わない。すなわち、キーワード入力手段１０４としてカメラレコーダがいくつかのボタンを備え、キーワード・重み対応辞書１０３は、押されたボタンと重要度とを対応させたテーブルを含み、キーワード・重み照合手段１１２は、キーワード・重み対応辞書１０３を参照して押されたボタンに対応する重要度を重み情報記録手段１０５に通知するようにしても構わない。
【００６０】
また、本実施の形態では重み対応記録ファイル１０１とプレイリストとしてＸＭＬを基にした形式のみを挙げたが、同様の機能を提供するものであれば形式は何であっても構わない。
【００６１】
なお、本実施の形態では動画ファイル１００を所定時間毎の時間範囲で分割して各々を転送用動画ファイルとしたが、所定時間毎に分割するのではなく、他の規則にしたがって分割するようにしてもよい。例えば、キーワード入力手段１０４からキーワードが入力された時間（重み情報が関連付けられた時間）でファイルを分割するようにしてもよい。この場合には、各時間範囲の先頭に重み情報が関連付けられ、また、各時間範囲にひとつ、重み情報が関連付けられることになる。このようにすることで、頻繁にキーワード入力される重要な部分について、よりきめ細かく優先順位をつけて送信することができる。また、本実施の形態で説明したような所定時間毎に分割する手法と併用してもよい。例えば、所定時間毎に分割し、なおかつキーワード入力がなされた時間でも分割してもよい。また、キーワード入力がなされた時間で分割するが、所定時間以上キーワード入力がない場合にその時間で分割するようにしてもよい。
【００６２】
なお、転送用動画ファイルの命名規則において、本実施の形態では送信順番をファイル名末尾に付加する例のみを挙げたが、さらにこのファイル名に対し、対応する時間範囲に関する情報を付加するものであったり、また付加するのは時間範囲に関する情報のみであったりしても構わない。例えば最初に転送する転送用動画ファイルが図１０（ｃ）に示すように０：５０：００、すなわち５Δｔから始まる時間範囲のものであるならば、０００１７Ｊ−５−１．ｍｘｆといったように命名してもかまわない。これは、ファイル名の８文字目にあたる “５”が時間範囲順の通し番号、すなわち本来撮影された順番である再生順番情報を表し、１０文字目にあたる“１”が本実施の形態で説明したのと同じく送信順番を表す。この場合、ネットワーク経由で転送用動画ファイルを受け取った側で、ファイル名を使ってソートし、その順番に再生することで転送元となった動画ファイル１００を復元できるため、再生順番情報をプレイリストとしてネットワークにアップロードする必要がなくなるが、これはファイル分割手段１０７とプレイリスト生成手段１０９の各手段の機能を一体化しただけであると考えられるので、本質的に本発明となんら変わるところはない。
【産業上の利用可能性】
【００６３】
本発明にかかる無線伝送システムを備えた映像記録装置は、記録した映像データを効率よくインターネットにアップロードする用途において有用であり、特に必要な映像を速やかに遠隔地に転送するためのシステムにも適している。
【図面の簡単な説明】
【００６４】
【図１】実施の形態における映像記録装置の構成を示すブロック図
【図２】動画ファイルと重み対応記録ファイルとの関係の例を示す図
【図３】送信順番決定の動作を示す図
【図４】キーワード・重み対応辞書の例を示す図
【図５】ＭＸＦファイルの構造の例を示した図
【図６】重み対応記録ファイルの記述内容の例を示す図
【図７】動画ファイルと重み対応記録ファイルの関連付けの方法を示す図
【図８】ＭＰＥＧ２−ＴＳの構成と書き換えが必要なヘッダの例を示す図
【図９】プレイリストファイルの例を示す図
【図１０】動画ファイル、重み対応記録ファイルおよび送信順番リストの関係を示した図
【符号の説明】
【００６５】
１００  動画ファイル
１０１  重み対応記録ファイル
１０２  動画送信手段
１０３  キーワード・重み対応辞書
１０４  キーワード入力手段
１０５  重み情報記録手段
１０６  送信順番決定手段
１０７  ファイル分割手段
１０８  ワイヤレス転送手段
１０９  プレイリスト生成手段
１１０  動画圧縮手段
１１２  キーワード・重み照合手段
１１３  撮像手段
１１４  ファイルシステム解釈手段
１１６  記録媒体
３００  送信順番リスト
１００１  重み合計最高時間範囲
１００２  重み合計ゼロの時間範囲（１）
１００３  重み合計ゼロの時間範囲（２）
【図１】
2009225116.tif 000003
【図２】
2009225116.tif 000004
【図３】
2009225116.tif 000005
【図５】
2009225116.tif 000006
【図６】
2009225116.tif 000007
【図７】
2009225116.tif 000008
【図８】
2009225116.tif 000009
【図９】
2009225116.tif 000010
【図１０】
2009225116.tif 000011
【図４】
2009225116.tif 000012